(57)【要約】【課題】本発明は液晶表示装置を衝撃試験にかけている時、ランプが破裂することを防止することができるバックライト装置を提供する。【解決手段】本発明のバックライト装置は、光源と、光出射面及び前記光出射面と交差する側面を有する導光板と、を備え、前記導光板の側面には第１溝部が設けられ、前記第１溝部の長軸方向が前記光出射面に対して９０°以下の角度を形成するように構成する。【選択図】図３
2007065654.tif 000002
【特許請求の範囲】
【請求項１】
光源と、光出射面及び前記光出射面と交差する側面を有する導光板と、を備えるバックライト装置であって、
前記導光板の側面に第１溝部を設け、前記第１溝部の長軸方向が前記光出射面に対して９０°以下の角度を形成することを特徴とするバックライト装置。
【請求項２】
前記導光板の第１溝部の長軸方向が前記光出射面と略平行であることを特徴とする請求項１に記載のバックライト装置。
【請求項３】
前記側面に長軸方向が前記光出射面と略平行な第２溝部を更に配置することを特徴とする請求項２に記載のバックライト装置。
【請求項４】
前記側面に長軸方向が前記光出射面と略平行な第３溝部を更に配置することを特徴とする請求項３に記載のバックライト装置。  
【請求項５】
前記光源は線光源と、前記線光源の両端に設けられた光源保持部材と、前記線光源に接続された高圧、低圧導線を備え、且つ前記高圧導線と前記低圧導線とがそれぞれ前記第２溝部と前記第３溝部内に配置されることを特徴とする請求項４に記載のバックライト装置。
【請求項６】
前記第１溝部には前記線光源の光源保持部材に対応する結合孔が設けられ、前記光源保持部材が該結合孔との係合によって固定されることを特徴とする請求項５に記載のバックライト装置。
【請求項７】
前記線光源の外周面に長方形状のリングを備えることを特徴とする請求項５に記載のバックライト装置。
【請求項８】
前記第１溝部には前記線光源の長方形状のリングに対応する係止溝が設けられ、前記長方形状のリングが前記係止溝との係合によって固定されることを特徴とする請求項７に記載のバックライト装置。
【発明の詳細な説明】
【技術分野】
【０００１】
本発明は、バックライト装置に係り、特に、液晶表示装置で用いられるバックライト装置に関するものである。
【背景技術】
【０００２】
一般の液晶表示装置に内蔵されている液晶パネル自体は発光機能を有しておらず、このため、液晶表示装置は、表示機能を果たすために光源装置、即ち、バックライトモジュールを用いて照明する必要がある。前記バックライトモジュールは、前記液晶パネルに輝度が高く且つ分布が均一な光を提供する面光源として利用される。前記バックライトモジュールは重要な部品である導光板を含む。前記導光板が光源からの光を輝度と均一度を一定の要求に達するような面光源に転換するために、好適な光学構成を備える必要がある。
【０００３】
図１及び図２は、従来の一種のバックライトモジュールの構成を示す図である。バックライトモジュール１は、支持部１１１を備える背面枠１１と、前記背面枠１１の上方に設けられた導光板１６と、前記導光板１６の一側に設けられ発光するための光源アセンブリ１４と、前記光源アセンブリ１４の回りを取り囲むように設けられ、前記光源アセンブリ１４からの光を導光板１６に反射するためのＵ字形のランプカバー１３と、前記導光板１６及び背面枠１１との間に配置された反射板１５と、前記導光板１６の上方に設けられた拡散シート１７と、ブラスチックフレーム１２と、を備える。前記背面枠１１とブラスチックフレーム１２とは組み合わされて、前記導光板１６、反射板１５、拡散シート１７、光源アセンブリ１４及びＵ字形のランプカバー１３を収容することができる。
【０００４】
前記導光板１６は、光入射面１６１、及び前記光入射面１６１の両端に連結された二つの側面１６２を備える。前記光源アセンブリ１４は導光板１６の光入射面１６１に対向配置されている。前記側面１６２には複数の凸部１６３が設けられ、該複数の凸部１６３は前記背面枠１１の支持部１１１の両端に対応して配置される。前記光源アセンブリ１４は、光源１４１と、前記光源１４１をＵ字形のランプカバー１３に固定させるための、光源１４１の両端に設けられた光源保持部材１４２と、前記光源１４１を保護するために、光源１４１の回りを取り囲むように設けられたＯ字形のリング１４３を備える。
【０００５】
前記バックライトモジュール１を採用する液晶表示装置を衝撃試験にかけている過程において、導光板１６及び背面枠１１が衝撃力を受けると、導光板１６と背面枠１１との間に作用力と反作用力が生じる。前記導光板１６の凸部１６３が前記背面枠１１の支持部１１１の両端に対応して配置されているので、前記導光板１６の凸部１６３と前記背面枠１１の支持部１１１との間に作用力と反作用力が生じ、導光板１６の凸部１６３は前記支持部１１１からの作用力が原因となって損傷する可能性がある。この時、導光板１６は光源アセンブリ１４の光源保持部材１４２のみにより支えられ、光源保持部材１４２が変形すると、導光板１６は光源１４１に衝突し、光源１４１が損傷する恐れがあるという課題がある。
【発明の開示】
【発明が解決しようとする課題】
【０００６】
本発明の目的は、上述のこうした課題を解決でき、前記バックライト装置の衝撃試験の間に、光源１４１が損傷することを防止することができるバックライト装置を提供することにある。
【課題を解決するための手段】
【０００７】
前記目的を達成するため、本発明に係るバックライト装置は、光源と、光出射面及び前記光出射面と相交する側面を有する導光板とを備え、該導光板の側面に第１溝部を設け、該第１溝部の長軸方向が前記光出射面に対して９０°以下の角度を形成する。
【発明の効果】
【０００８】
本発明のバックライト装置の導光板の側面に線光源の収容用溝槽を設け、且つ線光源を該溝槽内に配置する。従って、前記バックライト装置を採用する液晶表示装置は衝撃試験をしている過程で、導光板は線光源に衝突することを防止することができる。それで、線光源のランプが衝撃試験をしている過程で導光板の衝撃による破裂可能を防止することができる。
【発明を実施するための最良の形態】
【０００９】
図３及び図４は、本発明の第１の実施形態のバックライト装置の構成を示す図である。バックライト装置３は、内底面３１１を含む背面枠３１と、前記背面枠３１の内底面３１１の上に設けられた導光板３４と、前記導光板３４の一側に設けられた、発光するための光源アセンブリ３３と、前記光源アセンブリ３３の外周面を取り囲むように設けられ、前記光源アセンブリ３３から発散される光を導光板３４に反射するためのランプカバー３５と、前記導光板３４及び背面枠３１の間に配置された反射板３６と、前記導光板３４の上に設けられた拡散シート３７と、ブラスチックフレーム３２と、を備える。前記背面枠３１とブラスチックフレーム３２とは組み合わされて、前記導光板３４、反射板３６、拡散シート３７、光源アセンブリ３３及びランプカバー３５を収容することができる。
【００１０】
前記導光板３４は、光出射面３４８と、前記光出射面３４８に連結された側面３４１を備える。前記側面３４１には、長軸方向が前記光出射面３４８と略平行な第１溝部３４２が設けられる。第１溝部３４２の両端には対向する二つの結合孔３４３がそれぞれ設けられ、且つこの第１溝部３４２の側壁に対向する係止溝３４４が設けられ、前記係止溝３４４は前記第１溝部３４２の長軸方向と垂直に構成される。前記光源アセンブリ３３は、平行な二本の直線型の光源３３１と、光源３３１の両端に設けられた光源保持部材３３２と、光源３３１の外周面を取り囲むように設けられた長方形状のリング３３３と、前記光源３３１に電気的に接続する二つの導線３３４と、を備える。前記光源アセンブリ３３が第１溝部３４２の長軸方向に沿って前記第１溝部３４２内に収容される時には、光源３３１の光源保持部材３３２が第１溝部３４２の結合孔３４３と係合し、長方形状のリング３３３が第１溝部３４２の係止溝３４４と係合して光源アセンブリ３３を固定する。
【００１１】
図５は、本発明の第２の実施形態のバックライト装置の構成を示す図である。この第２の実施形態と前記第１の実施形態とは次の点で異なる。前記導光板３４の側面３４１には前記第１溝部３４２の一側に形成される第２溝部３４６を更に設ける。前記二つの導線３３４は前記第２溝部３４６を貫通するように配置される。第２溝部３４６は、反射板３６と隣接するように配置してもよく、拡散シート３７と隣接するように配置してもよい。
【００１２】
図６は、本発明の第３の実施形態のバックライト装置の構成を示す図である。この第３の実施形態と前記第２の実施形態とは次の点で異なる。前記導光板３４の側面３４１に第３溝部３４７を更に設ける。前記第２溝部３４６と第３溝部３４７は前記第１溝部３４２の両側に対称的に設けられる。即ち、前記第１溝部３４２は前記第２溝部３４６と第３溝部３４７との間に設けられ、前記第２溝部３４６は前記第１溝部３４２と反射板３６との間に配置され、前記第３溝部３４７は前記第１溝部３４２に対して第２溝部の反対側に配置される。前記二つの導線３３４はそれぞれ前記第２溝部３４６と第３溝部３４７の中に配置される。
【００１３】
図７は、本発明の第４の実施形態のバックライト装置の構成を示す図である。この第４の実施形態と前記第３の実施形態とは次の点で異なる。前記導光板３４の側面３４１に設けられた前記第２溝部３４６と第３溝部３４７は共に前記第１溝部３４２と反射板３６との間に設けられている。
【００１４】
図８は、本発明の第５の実施形態のバックライト装置の構成を示す図である。この第５の実施形態と前記第１の実施形態とは次の点で異なる。導光板５４は、二つの相対する側面５４１を備え、前記二つの側面５４１にはそれぞれに第１溝部５４２が設けられる。それぞれの第１溝部５４２は、ともに二つの直線型の光源５３１を収容する。本実施形態のバックライト装置を採用する液晶表示装置は前記第１の実施形態のバックライト装置を採用する液晶表示装置より輝度が高いという優れた点がある。
【００１５】
図９は、本発明の第６の実施形態のバックライト装置の構成を示す図である。この第６の実施形態と前記第５の実施形態とは次の点で異なる。導光板６４は、四つの側面６４１を備え、前記四つの側面６４１にはそれぞれに第１溝部６４２が設けられる。二つのＬ字型の光源６３１はそれぞれ前記連結された二つ側面６４１の第１溝部６４２内に収容される。二つのＬ字型の光源６３１に囲まれた領域は矩形になる。この実施形態では前記第５の実施形態に比べて、光源の数を減少させ、コストを節約することができる。
【００１６】
図１０は、本発明の第７の実施形態のバックライト装置の構成を示す図である。この第７の実施形態と前記第６の実施形態とは次の点で異なる。一つのＵ字型の光源７３１aと一つの直線型の光源７３１ｂとが側面７４１の第１溝部７４２内に収容される。
【００１７】
図１１は、本発明の第８の実施形態のバックライト装置の構成を示す図である。この第８の実施形態と前記第１の実施形態とは次の点で異なる。導光板８の第１溝部８４２は中心線が光出射面８４８と平行ではなく、即ち、前記第１溝部８４２の長軸延在方向が光出射面８４８に対して角度θを形成するように構成されている。前記角度θは９０°以下であることが好ましい。この第８の実施形態の導光板８の第１溝部８４２は相対する二つの側面８４１に設けてもよく、相対する四つの側面８４１に設けてもよい。
【００１８】
本発明のバックライト装置の導光板の側面に線光源の収容用溝部を設け、線光源を前記溝部内に配置する際に、該線光源がその両端に設けられた光源保持部材で固定され、該光源保持部材が前記溝部の結合孔と係合することができる。これによって、前記バックライト装置を採用する液晶表示装置を衝撃試験にかける過程で、導光板が線光源に衝突することを防止することができる。よって、線光源のランプが衝撃試験中に導光板の衝撃によって破裂するのを防止することができる。
【００１９】
本発明の第１溝部は、切削又は射出成形法などの方式で形成する。前記背面枠は例えばアルミニウム等の金属の背面枠が採用される。
【００２０】
前記第５の実施形態乃至第８の実施形態において、導光板の側面に光源導線の収容用第２溝部と第３溝部を更に具備してもよい。
【図面の簡単な説明】
【００２１】
【図１】従来のバックライト装置の構成を示す分解図である。
【図２】図１に示すバックライト装置の断面図である。
【図３】本発明のバックライト装置の構成を示す分解図である。
【図４】本発明の第１の実施形態のバックライト装置の構成を示す断面図である。
【図５】本発明の第２の実施形態のバックライト装置の構成を示す断面図である。
【図６】本発明の第３の実施形態のバックライト装置の構成を示す断面図である。
【図７】本発明の第４の実施形態のバックライト装置の構成を示す断面図である。
【図８】本発明の第５の実施形態のバックライト装置の導光板及び光源を示す図である。
【図９】本発明の第６の実施形態のバックライト装置の導光板及び光源を示す図である。
【図１０】本発明の第７の実施形態のバックライト装置の導光板及び光源を示す図である。
【図１１】本発明の第５の実施形態のバックライト装置の導光板を示す図である。
【符号の説明】
【００２２】
３      バックライト装置
３１    背面枠
３２    ブラスチックフレーム
３３    光源アセンブリ
３４    導光板
３５    ランプカバー
３６    反射板
３３２  光源保持部材  
３３３  長方形状のリング
３３４  導線
３４３  結合孔
３４４  係止溝
３４６  第２溝部
３４７  第３溝部
３４８、８４８  光出射面
３３１、５３１、６３１、７３１ａ、７３１ｂ  線光源
３４１、５４１、６４１、７４１、８４１    側面
３４２、５４２、６４２、７４２、８４２    第１溝部
【図１】
2007065654.tif 000003
【図２】
2007065654.tif 000004
【図３】
2007065654.tif 000005
【図４】
2007065654.tif 000006
【図５】
2007065654.tif 000007
【図６】
2007065654.tif 000008
【図７】
2007065654.tif 000009
【図８】
2007065654.tif 000010
【図９】
2007065654.tif 000011
【図１０】
2007065654.tif 000012
【図１１】
2007065654.tif 000013